(57)【特許請求の範囲】
【請求項１】
ターンテーブルを内蔵するローダシャーシの上面を覆うよう配置されたカバー本体と、前記カバー本体に設けられて、前記ターンテーブルと共働してディスクを挟持可能なクランパが装備される凹入状のクランパ取付け部と、前記クランパ取付け部に設けられて、前記クランパの首部が昇降可能に遊嵌された孔部と、を備えているディスクローダの保護カバーにおいて、
前記カバー本体が、前記クランパ取付け部を備える第１領域と該第１領域を除く余剰部分によって形成された第２領域とに前後方向で区画され、
前記クランパ取付け部が、前記カバー本体の前部に位置する前記第１領域の当該クランパ取付け部の形成箇所を除く部分を外側に膨出させてなる第１絞り部によって取り囲まれ、
前記カバー本体の前記第２領域に、前記カバー本体を外側に膨出させてなる第２絞り部が形成され、
前記第２絞り部が、前記カバー本体の後端部でその幅方向に延びる１つの辺部と該辺部の長手方向両端に連設されてカバー本体の前端部に向けてそれぞれ前記第１領域の内部にまで延び出た一対の延出部とを備える平面視Ｕ字状に形成され、
前記第１絞り部は、平面視において前記一対の延出部の相互間に位置するよう構成されている
ことを特徴とするディスクローダの保護カバー。    
【請求項２】
前記第２絞り部は、前記カバー本体の外縁部よりも内側に形成されており、該第２絞り部はそれぞれが矩形状の辺部および一対の延出部の組み合わせによる平面視Ｕ字状に形成されており、
前記第１絞り部は、前記カバー本体の外縁部よりも内側に形成されており、該第１絞り部は、前記クランパ取付け部の周辺に矩形状に形成されたクランパ周辺部と、該クランパ周辺部における前記カバー本体の前端部方向の辺に沿って左右に延出した一対の延出部との組み合わせによる平面視Ｔ字状に形成されている
ことを特徴とする請求項１に記載のディスクローダの保護カバー。
【請求項３】
第２絞り部の一対の前記延出部の相互間に、前記第２領域に位置してカバー本体の内側に膨出されてなる細長の第３絞り部が形成され、この第３絞り部が、下降位置の前記ターンテーブルの上方に搬入されてきたディスクを受け止めてそのディスクの後方への飛出しを防止するディスクストッパとして形成されている請求項１又は請求項２に記載したディスクローダの保護カバー。 
【発明の詳細な説明】
【技術分野】
【０００１】
本発明は、記録媒体としてのディスクを取り扱うディスクローダの補強や防塵のためにローダシャーシに取り付けられるディスクローダの保護カバーに関する。特に、板金製のカバー本体に形成した外向き膨出状の絞り部の作用によって静荷重や応力によるローダシャーシの変形に抗する強度を高めているにもかかわらず、振動減衰作用を発揮しやすく、配線基板に実装されている電気電子部品の配置スペースを上記絞り部が狭めてしまうおそれを少なくし、当該保護カバーを装着したディスクローダの薄形化を促進しやすくするための対策を講じた保護カバーに関する。
【背景技術】
【０００２】
記録媒体としてのディスクを取り扱うディスクローダでは、ディスクトレイによってローダシャーシの内部に搬入されてきたディスクをターンテーブルによって受け取らせ、そのターンテーブルがクランパと共働してディスクを挟持した状態でディスクを回転させ、そのようなディスクの回転中に光ピックアップがディスクの記録面を光学的に処理するという動作が行われる。
【０００３】
この種のディスクローダにおいて、金属加工品に比べて強度に劣る樹脂成形体がローダシャーシに用いられていると、保管中や運搬中に積載荷重などの静荷重や応力の影響を受けてローダシャーシが変形したりローダシャーシに歪みが生じたりする可能性がある。また、ローダシャーシの開放された上面からの塵埃の侵入を防ぐための防塵対策を講じておくことは、ディスクローダの動作性能の低下を防ぐ上で有益である。さらに、振動減衰機能をディスクローダに付与しておくことが、ディスク回転中などに発生する振動を抑制して製品性能の品位を高める上で有益である。
【０００４】
そこで、樹脂成形体でなるローダシャーシに板金製の保護カバーを取り付けることによって、ローダシャーシの強度を高めると同時に、その保護カバーによってローダシャーシの上面を塞いで防塵を行い、さらに、その保護カバーに振動減衰機能を具備させることがある。また、保護カバーを取り付けたディスクローダの上部に電気電子部品を実装した配線基板が配備されることがあり、その場合には、配線基板を含むディスクローダの全体の薄形化を図るために、配線基板をできるだけ保護カバーに近付けて配備することが行われる。
【０００５】
一方、ディスクローダに関して、ターンテーブルと共働してディスクを挟持するクランパは、ローダシャーシに横架した板金製プレートに装備されていることが多いけれども、上記したような保護カバーをローダシャーシに取り付けたディスクローダでは、保護カバーにクランパが装備されるクランパ取付け部を設けることによって、上記プレートを省略して部品点数の削減や薄形化を図ることもある。
【０００６】
以上説明した事情を背景として開発された比較例としての保護カバーを図９に外観斜視図で示してある。同図の保護カバー１０は、矩形に形作られた板金製のカバー本体２０の周縁部の複数箇所にビス挿通孔２１や位置決め孔２２が備わっている。そして、それらのビス挿通孔２１や位置決め孔２２を利用してローダシャーシの縁枠部（不図示）に位置決め状態でビス止めされる。
【０００７】
カバー本体２０は、矢印Ａで示した前後方向で矩形の第１領域Ｚ１と矩形の第２領域Ｚ２とに区画されていて、それらの各領域Ｚ１，Ｚ２に、カバー本体２０を外側（上側）に膨出させてなる第１絞り部３０と第２絞り部４０とが振り分けて形成されていると共に、第１領域Ｚ１の略中央部分に上記したクランパ取付け部５０が凹入状に形成されている。すなわち、凹入状のクランパ取付け部５０は、カバー本体２０の前部（前半部分）に位置する第１領域Ｚ１の当該クランパ取付け部５０の形成箇所を除く部分を外側に膨出させてなる上記第１絞り部３０によって取り囲まれていて、クランパの首部（不図示）が昇降可能に遊嵌される円形の孔部５１と、この孔部５１の周縁部により形成された円環状の受座５２とを備えていて、上記首部が孔部５１に遊嵌されたクランパに設けられている鍔形座部（不図示）を上記受座５２が受け止めるように構成されている。
【０００８】
図９に示した比較例としての保護カバー１０において、第１絞り部３０は、第１領域Ｚ１の周縁部２３だけを残してそのほゞ全体に拡がっていて、その平面視形状は矩形に形作られている。また、凹入状のクランパ取付け部５０は、ターンテーブルと共働してディスクを挟持するときに持ち上げられたクランパが、そのクランパ取付け部５０の外側（上方）に突出しない程度の深さを有している必要がある。これは、クランパが凹入状のクランパ取付け部５０の上方に突出してしまうと、カバー本体２０の上側に配線基板に実装された電気電子部品が配備されている場合に、クランパが配線基板や電気電子部品と干渉するおそれが生じることによる。そのため、凹入状のクランパ取付け部５０を形成している第１絞り部３０のカバー本体２０の板面（基準面）からの膨出高さは、クランパ取付け部５０に要求される深さを満たす程度に十分に高くしておくことを要する。
【０００９】
これに対し、カバー本体２０の後部（後半部分）に位置する第２領域Ｚ２に、カバー本体２０を外側に膨出させてなる第２絞り部４０が形成されている。この第２絞り部４０は、カバー本体２０の後端部でその幅方向（横方向）に延びる１つの辺部４１とこの辺部４１の長手方向両端に連設されてカバー本体２０の前端部に向けて延び出た一対の延出部４２，４２とを備えていて、その平面視形状はＵ字状に形作られている。一対の延出部４２，４２はその全体が第２領域Ｚ２に位置している。そして、第２領域Ｚ２にその全体が位置しているＵ字状の第２絞り部４０と第１領域Ｚ１にその全体が位置している平面視矩形の第１絞り部３とによって取り囲まれる空間を、カバー本体２０の外側（上側）に配備される配線基板（不図示）に実装された電気電子部品（不図示）の収容空間Ｓとして活用することができるようになっている。第２絞り部４０のカバー本体２０の上記板面からの膨出高さは第１絞り部３０の膨出高さよりも低くなっている。これは、カバー本体２０の上側、言い換えると、膨出高さの高い第１絞り部３０の上側から第２絞り部４０の上側に亘って配線基板が配備されている場合に、配線基板に実装されている背低の電気電子部品の配置スペースを第２絞り部４０と配線基板との相互間に確保しやすくすることなどによる。
【００１０】
以上のように構成されている保護カバー１０をローダシャーシの縁枠部にビス止めしておくと、第１及び第２の各絞り部３０，４０により保護カバー１０自体の剛性が高まって静荷重や応力によるローダシャーシの変形が抑制される。それにもかかわらず、カバー本体２０の全体に亘って１つの絞り部を形成しているのではなくて、カバー本体２０の前半部分の第１領域Ｚ１と後半部分の第２領域Ｚ２とに第１絞り部３０と第２絞り部４０とを分けて形成してあるので、それらの絞り部３０，４０が形成されていない箇所によって振動吸収作用が発揮されやすくなる。さらに、配線基板に実装されている電気電子部品の配置スペースを、上記した絞り部３０，４０が形成されていない箇所や第２絞り部４０の上側、あるいは、上記収容空間Ｓに確保しやすくなり、当該保護カバー１０を装着したディスクローダの薄形化を促進しやすくなる。さらに、カバー本体２０が防塵作用をも発揮してディスクローダの動作性能の低下を防ぐことが可能になる。
【００１１】
図９に示した比較例としての保護カバー１０では、上記した構成のほかに、第２絞り部４０の一対の延出部４２，４２の相互間に、第２領域Ｚ２に位置してカバー本体２０の内側に膨出されてなる細長の第３絞り部６０が形成されている。この第３絞り部６０は、下降位置のターンテーブルの上方に搬入されてきたディスクを受け止めてそのディスクの後方への飛出しを防止するディスクストッパとして形成されている。このディスクストッパとしての第３絞り部６０は、第２領域Ｚ２で第２絞り部４０と共にカバー本体２０を補強するリブとしても作用する。
【００１２】
一方、先行例では、板金フレームとしてのメインシャーシに、横長のステー部を形成し、そのステー部を隔てて前側と後側との２箇所に絞り部を設けることによって、フレーム強度を高め、振動減衰作用を大きくするという工夫についての提案がなされている（たとえば、特許文献１参照）。
【００１３】
他の先行例では、筐体に鋼板製のクランパプレートを横架し、そのクランパプレートにクランパを装備させることが示されている（たとえば、特許文献２参照）。
【００１４】
さらに他の先行例では、ディスク装置のシャーシ外装にアルミ合金やマグネシウム合金のような剛性の低い材料を用いた場合に、その変形を防止するために、シャーシ外装に互いに反対側に突出する第１及び第２の２種類の絞り溝を形成しておく、という技術が提案されている（たとえば、特許文献３参照）。
【先行技術文献】
【特許文献】
【００１５】
【特許文献１】特開平８−１３９４７１号公報
【特許文献２】特開２００５−１４９５６１号公報
【特許文献３】特開２００６−１０７５８９号公報
【発明の概要】
【発明が解決しようとする課題】
【００１６】
図９を参照して説明した比較例としての保護カバー１０によると、既述したように、第１及び第２の各絞り部３０，４０により保護カバー１０自体の剛性が高まって静荷重や応力によるローダシャーシの変形が抑制されるにもかかわらず、カバー本体２０の第１領域Ｚ１と第２領域Ｚ２とに第１絞り部３０と第２絞り部４０とを分けて形成してあることにより、それらの絞り部３０，４０が形成されていない箇所によって振動吸収作用が発揮されやすくなり、電気電子部品の配置スペースを確保しやすくなってディスクローダの薄形化を促進しやすくなる。さらに、カバー本体２０の防塵作用によってディスクローダの動作性能の低下を防ぐことも可能になる。
【００１７】
この状況の下で、本願発明者は、保護カバー１０の振動吸収作用やディスクローダの薄形化の促進作用、さらは防塵作用を損なうことなく、その剛性をさらに高めて静荷重や応力によるローダシャーシの変形がいっそう抑制されるようにするために鋭意研究を続け、本発明を完成させるに至った。
【００１８】
したがって、本発明は、ディスクローダの保護カバーに関して、振動吸収作用やディスクローダの薄形化の促進作用、さらには防塵作用を損なうことなく、その剛性をさらに高めて静荷重や応力によるローダシャーシの変形を、上記した比較例としての保護カバーに比べていっそう抑制することのできる保護カバーを提供することを目的としている。
【課題を解決するための手段】
【００１９】
本発明に係るディスクローダの保護カバーは、昇降可能なターンテーブルを内蔵するローダシャーシの縁枠部に固着されてそのローダシャーシの上面を覆う板金製のカバー本体と、このカバー本体に設けられて、上記ターンテーブルの上昇動作を介してそのターンテーブルと共働してディスクを挟持するクランパが装備される凹入状のクランパ取付け部と、このクランパ取付け部に設けられて、上記クランパの首部が昇降可能に遊嵌された孔部と、クランパ取付け部の上記孔部の周縁部により形成されて、上記クランパに設けられた鍔形座部を受け止める受座と、を備えている。
【００２０】
そして、上記カバー本体が、上記クランパ取付け部を備える第１領域とこの第１領域を除く余剰部分によって形成された第２領域とに前後方向で区画され、凹入状の上記クランパ取付け部が、カバー本体の前部に位置する上記第１領域の当該クランパ取付け部の形成箇所を除く部分を外側に膨出させてなる第１絞り部によって取り囲まれている。また、カバー本体の上記第２領域に、カバー本体を外側に膨出させてなる第２絞り部が形成され、この第２絞り部が、カバー本体の後端部でその幅方向に延びる１つの辺部とこの辺部の長手方向両端に連設されてカバー本体の前端部に向けて延び出た一対の延出部とを備える平面視Ｕ字状に形成され、この第２絞り部の一対の上記延出部が、上記第１領域の内部にまで延び出てそれらの延出部の相互間に上記第１絞り部が位置している。さらに、この第２絞り部の一対の延出部と上記第１絞り部とによって取り囲まれる空間が、上記カバー本体の外側に配備される配線基板に搭載されている電気電子部品の収容空間として形成されている。
【００２１】
このように構成された保護カバーによると、第２絞り部の一対の延出部が、第１領域の内部にまで延び出てそれらの延出部の相互間に第１絞り部が位置しているという構成により、カバー本体の第１領域と第２領域との境界部分が、第２領域の内部から第１領域の内部にまで延び出ている第２絞り部の一対の延出部によって補強されるので、それだけ保護カバーの強度（剛性）が高まり、静荷重や応力によるローダシャーシの変形が図９を参照して説明した比較例としての保護カバーに比べていっそう抑制されるようになる。振動吸収作用やディスクローダの薄形化の促進作用、防塵作用については、図９を参照して説明した比較例としての保護カバーに比べても遜色なく発揮される。
【００２２】
本発明では、カバー本体の上面からの上記第２絞り部の膨出高さが、カバー本体の上面からの上記第１絞り部の膨出高さよりも小さく定められ、かつ、第１絞り部の膨出高さによって定まる凹入状の上記クランパ取付け部の深さは、上記ターンテーブルと共働してディスクを挟持するときに持ち上げられたクランパが、そのクランパ取付け部の外側に突出しない深さに定められていることが望ましい。この構成であると、カバー本体の上側に配線基板を配備した場合でも、クランパ取付け部の上方に突出したクランパが配線基板やその配線基板に実装されている電気電子部品と干渉するという余地がなくなる。
【００２３】
本発明では、第２絞り部の一対の上記延出部の相互間に、上記第２領域に位置してカバー本体の内側に膨出されてなる細長の第３絞り部が形成され、この第３絞り部が、下降位置の上記ターンテーブルの上方に搬入されてきたディスクを受け止めてそのディスクの後方への飛出しを防止するディスクストッパとして形成されている、という構成を採用することが可能である。この構成であると、ターンテーブルの上方に搬入されてきたディスクが後方へ飛び出してディスクローダの機構部品と干渉したり機構部品の間に噛み込んでしまうといった事故を未然に防止することが可能になる。
【発明の効果】
【００２４】
以上のように、本発明のディスクローダの保護カバーによると、比較例としての保護カバーに比べて、振動吸収作用やディスクローダの薄形化の促進作用、さらには防塵作用を損なうことなく、その剛性を高めて静荷重や応力によるローダシャーシの変形をいっそう抑制することが可能になる。
【図面の簡単な説明】
【００２５】
【図１】本発明の実施形態としての保護カバーの外観斜視図である。
【図２】同保護カバーの平面図である。
【図３】図２のＩＩＩ−ＩＩＩ線に沿う部分の概略拡大断面図である。
【図４】クランパなどの作用と共にクランパ取付け部の構成を示した概略拡大断面図である。
【図５】電気電子部品の配置状況を概略で示した要部の拡大断面図である。
【図６】第３絞り部の形状及び作用を概略で示した要部の拡大断面図である。
【図７】変形例による保護カバーの平面図である。
【図８】他の変形例による保護カバーの平面図である。
【図９】比較例としての保護カバーの外観斜視図である。
【発明を実施するための形態】
【００２６】
図１は本発明の実施形態としての保護カバー１０の外観斜視図、図２は同保護カバー１０の平面図である。また、図３は図２のＩＩＩ−ＩＩＩ線に沿う部分の概略拡大断面図である。さらに、図４はクランパ・などの作用と共にクランパ取付け部５０の構成を示した概略拡大断面図、図５は電気電子部品の配置状況を概略で示した要部の拡大断面図、図６は第３絞り部６０の形状及び作用を概略で示した要部の拡大断面図である。
【００２７】
図１及び図２のように、保護カバー１０は、矩形に形作られた板金製のカバー本体２０の周縁部の複数箇所（図例では５箇所）にビス挿通孔２１や位置決め孔２２が備わっている。それらのビス挿通孔２１や位置決め孔２２は、当該保護カバー１０をローダシャーシの縁枠部（不図示）に位置決め状態でビス止めすることに利用される。
【００２８】
カバー本体２０は、矢印Ａで示した前後方向で矩形の第１領域Ｚ１と矩形の第２領域Ｚ２とに区画されていて、それらの各領域Ｚ１，Ｚ２に、カバー本体２０を外側（上側）に膨出させてなる第１絞り部３０と第２絞り部４０とが振り分けて形成されていると共に、第１領域Ｚ１の略中央部分にクランパ取付け部５０が凹入状に形成されている。凹入状のクランパ取付け部５０は、カバー本体２０の前部（前半部分）に位置する第１領域Ｚ１で外側に膨出している第１絞り部３０によって取り囲まれていて、円形の孔部５１と、この孔部５１の周縁部により形成された円環状の受座５２とを備え、受座５２の上面はカバー本体２０の板面によって形成される基準面２０ａ（図４参照）と同一の高さに位置している。
【００２９】
図４のように、クランパ７０は、円筒面を有する首部７１と、この首部７１の上端に設けられた円環状の鍔形座部７２と、首部７１の下端に設けられた円環状の押え部７３とを有していて、首部７１又は押え部７３に永久磁石（不図示）が内蔵され、かつ、それらにはターンテーブル８０の中心突部８１が嵌まり込む嵌合孔（不図示）が形成されている。ターンテーブル８０の中心突部８１には、上記首部７１に内蔵されている永久磁石と引き合う吸着具が内蔵されている。図４において、８２はモータ、８３はモータ８２の回転軸を示していて、ターンテーブル８０はモータ８２の回転軸８３に直結されている。そして、同図のように、クランパ７０の首部７１がクランパ取付け部５０の孔部５１に遊嵌合されている。図示していないけれども、クランパ７０が使用されていないとき、すなわちディスクＤが搬入されていないときには、クランパ７０の自重によって鍔形座部７２がクランパ取付け部５０の受座５２によって受け止められている。また、クランパ７０が使用されているとき、すなわち、図示していないディスクトレイによって搬入されてきたディスクＤがターンテーブル８０により受け取られ、そのターンテーブル８０が上昇してクランパ７０と共働してディスクＤが挟持されている状態では、図示のようにクランパ７０がディスクＤにより持ち上げられてその鍔形座部７２がクランパ取付け部５０の受座５２から浮き上がっている。
【００３０】
図１及び図２のように、第１絞り部３０は、クランパ取付け部５０の形成箇所でその横幅が狭まっていて、その第１絞り部３０の前端部分（幅広部）３１とクランパ取付け部５０の形成箇所（幅狭部）３２とによって、横方向２箇所に位置する入隅部３３，３３が形成されている。これらの入隅部３３，３３の板面はカバー本体２０の板面によって形成される基準面２０ａ（図４参照）と同一の高さに位置している（図３参照）。なお、第１絞り部３０の幅広部３１は、第１領域Ｚ１の周縁部２３だけを残してそのほゞ横幅全体に拡がっている。
【００３１】
図４に示したように、凹入状のクランパ取付け部５０は、ターンテーブル８０と共働してディスクＤを挟持するときに持ち上げられたクランパ７０が、そのクランパ取付け部５０の外側（上方）に突出しない程度の深さを有している。これは、クランパ７０が凹入状のクランパ取付け部５０の上方に突出してしまうと、図５に仮想線で示したようにカバー本体２０の上側に配線基板１００が配備されている場合に、クランパ取付け部５０の上方に突出したクランパ７０が配線基板１００やその配線基板１００に実装されている電気電子部品と干渉するおそれが生じることによる。したがって、図４のように、凹入状のクランパ取付け部５０を形成している第１絞り部３０のカバー本体２０の板面（基準面）からの膨出高さＨ１を、クランパ７０の鍔形座部７２が受座５２から浮き上がったときの浮き上がり高さＨ２と同等か、それよりもやゝ高くしてある。こうしておくと、クランパ取付け部５０に要求される深さが満たされて、クランパ７０が配線基板１００などに干渉するおそれがなくなる。
【００３２】
図１及び図２のように、第２絞り部４０は、カバー本体２０の後端部でその幅方向に延びる１つの辺部４１とこの辺部４１の長手方向両端に連設されてカバー本体２０の前端部に向けて延び出た一対の延出部４２，４２とを備えていて、その平面視形状はＵ字状に形作られている。この第２絞り部４０において、一対の延出部４２，４２は、カバー本体２０の第２領域Ｚ２から第１領域Ｚ１の内部にまで延び出ていて、それらの先端部４３，４３が第１絞り部３０の幅狭部３２の横方向両側に位置している入隅部３３，３３に達している。そして、延出部４２の先端部４３と第１絞り部３０の幅広部３１及び幅狭部３２とが間隔を隔てて位置している。
【００３３】
図３のように、第２絞り部４０のカバー本体２０の板面からの膨出高さＨ３は第１絞り部３０の膨出高さＨ１よりも低くなっていて、両方の絞り部３０，４０の膨出高さには符号Ｈ４で示した寸法差が存在している。また、第１絞り部３０の幅狭部３２が一対の延出部４２，４２の相互間に位置し、しかも、第２絞り部４０と第１絞り部３０とによって取り囲まれる空間を、配線基板に実装された電気電子部品の収容空間Ｓとして活用することができるようになっている。このため、図５のように、カバー本体２０の上側、言い換えると、膨出高さの高い第１絞り部３０の上側から膨出高さの低い第２絞り部４０の上側に亘って配線基板１００を配備した場合に、配線基板１００に実装されている背低の電気電子部品Ｔ１の配置スペースを第２絞り部４０と配線基板との相互間に確保しやすく、また、背高の電気電子部品Ｔ２を上記収容空間Ｓに配置しやすくなっている。
【００３４】
上記保護カバー１０では、上記した構成のほかに、第２絞り部４０の一対の延出部４２，４２の相互間に、第２領域Ｚ２に位置してカバー本体２０の内側に膨出されてなる細長の第３絞り部６０が形成されている。図６に示したように、第３絞り部６０は、ディスクトレイ（不図示）に載架されて、下降位置のターンテーブルの上方に搬入されてきたディスクＤが、慣性によってディスクトレイの後方へ飛び出した場合に、そのディスクＤを受け止めて後方への飛出しを防止するディスクストッパとして形成されている。このディスクストッパとしての第３絞り部６０は、第２領域Ｚ２で第２絞り部４０と共にカバー本体２０を補強するリブとしても作用する。
【００３５】
以上のように構成されている保護カバー１０を、図５又は図６に仮想線で示したローダシャーシ９０の縁枠部にビス止めしておくと、第１及び第２の各絞り部３０，４０により保護カバー１０自体の剛性が高まって静荷重や応力によるローダシャーシの変形が抑制される。特に、第２絞り部４０の一対の延出部４２，４２が、第１領域Ｚ１の内部にまで延び出てそれらの延出部４２，４２の相互間に第１絞り部３０が位置しているという構成を採用しているので、カバー本体２０の第１領域３０と第２領域４０との境界部分Ｌ（図１又は図２参照）が、第２領域Ｚ２の内部から第１領域Ｚ１の内部にまで延び出ている第２絞り部４０の一対の延出部４２，４２によって補強されるので、それだけ保護カバー１０の強度（剛性）が高まり、静荷重や応力によるローダシャーシ９０の変形が図９を参照して説明した比較例に比べていっそう抑制されるようになる。
【００３６】
それにもかかわらず、カバー本体２０に第１絞り部３０と第２絞り部４０とを分けて形成してあるので、それらの絞り部３０，４０が形成されていない箇所によって振動吸収作用が発揮されやすくなる。さらに、配線基板１００に実装されている電気電子部品Ｔ１，Ｔ２の配置スペースを、絞り部３０，４０が形成されていない箇所や第２絞り部４０の上側、あるいは、上記収容空間Ｓに確保しやすくなり、当該保護カバー１０を装着したディスクローダの薄形化を促進しやすくなる。さらに、カバー本体２０が防塵作用をも発揮してディスクローダの動作性能の低下を防ぐことが可能になる。
【００３７】
図７は変形例による保護カバー１０の平面図である。この事例による保護カバー１０では、第１絞り部３０を幅狭矩形に形成してあると共に、第２絞り部４０の一対の延出部４２，４２を第２領域Ｚ２の内部から第１領域Ｚ１の内部にまで延ばして、それらの先端部４３，４３をカバー本体２０の前端部に位置させている。
【００３８】
図８は他の変形例による保護カバー１０の平面図である。この事例による保護カバー１０では、図２に示した形状の第２絞り部４０を基本形状として、第２絞り部４０の一対の延出部４２，４２の幅を、第２領域Ｚ２内で内側に拡げてある。符号４４，４４は延出部４２，４２の幅広部分を示している。
【００３９】
図７や図８を参照して説明した各変形例による保護カバー１０によっても、図１〜図６を参照して説明した保護カバー１０と同等の作用が発揮される。
【００４０】
本発明者は、図９に示した比較例としての保護カバー１０と図１〜図６を参照して説明した保護カバー１０とについて、１５ｋｇの静荷重を加えたときの変形状態や応力分布状態を観察した。保護カバー１０の拘束条件や負荷位置は両方の保護カバー１０について同一に設定した。
【００４１】
その結果、比較例としての保護カバー１０では、クランパ取付け部５０の受座５２の付近で０．５００ｍｍの最大幅の変形が見られ、その影響を受けて受座５２の周辺部にも比較的大きな変形が見られたのに対し、図１〜図６の保護カバー１０では、クランパ取付け部５０の鍔形座部５２の付近での最大幅の変形が０．４２５ｍｍにとどまり、その影響を受けた受座５２の周辺部の変形も小さく抑えられていた。また、応力分布については、比較例としての保護カバー１０では、カバー本体２０の前端側の１つのコーナに３４９．８ＭＰａの最大応力が加わっていたのに対し、図１〜図６の保護カバー１０では、カバー本体２０の前端側の１つのビス挿通孔２１の付近に２７４．２ＭＰａの最大応力が加わっていたに過ぎなかった。このことからも、本発明に係る保護カバー１０は、その強度（剛性）が高まり、静荷重や応力による変形が図９を参照して説明した比較例としての保護カバーに比べて抑制されることが立証された。
【符号の説明】
【００４２】
１０  保護カバー
２０  カバー本体
３０  第１絞り部
４０  第２絞り部
４１  辺部
４２  延出部
５０  クランパ取付け部
５１  孔部
５２  受座
６０  第３絞り部
７０  クランパ
７１  クランパの首部
７２  クランパの鍔形座部
８０  ターンテーブル
９０  ローダシャーシ
１００  配線基板
Ａ  前後方向
Ｈ１  第１絞り部の膨出高さ
Ｈ３  第２絞り部の膨出高さ
Ｓ  収容空間
Ｔ１，Ｔ２  電気電子部品
Ｚ１  第１領域
Ｚ２  第２領域
【図１】
0005493723.tif 000002
【図２】
0005493723.tif 000003
【図３】
0005493723.tif 000004
【図４】
0005493723.tif 000005
【図５】
0005493723.tif 000006
【図６】
0005493723.tif 000007
【図７】
0005493723.tif 000008
【図８】
0005493723.tif 000009
【図９】
0005493723.tif 000010